【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
コンピュータに、
建屋に設置された機器の位置を取得する位置取得ステップ、
前記機器の画像を取得する画像取得ステップ、
前記機器の状態を取得する機器状態取得ステップ、
前記位置取得ステップで取得した位置に、前記画像取得ステップで取得した画像と前記機器状態取得ステップで取得した機器の状態とを表示する画面を構築する画面構築ステップ、
を実行させるためのプログラム。
【請求項２】
前記機器は遮光設備を含み、
前記機器の状態は前記遮光設備の開閉量を含み、
前記画面構築ステップは、前記建屋を構成する部屋の間取り図又は模式図により前記建屋を表示し、前記部屋を示す図の内部の領域に、前記機器状態取得ステップで取得した前記遮光設備の前記開閉量を示す画像を表示する画面を構築する、
請求項１に記載のプログラム。
【請求項３】
前記内部の領域は、開閉量を取得した前記遮光設備の設置された部屋を示す領域全体を含む、
請求項２に記載のプログラム。
【請求項４】
前記内部の領域に表示される前記開閉量を示す画像は、開閉量を取得した前記遮光設備を示す画像を含む、
請求項２に記載のプログラム。
【請求項５】
前記遮光設備を示す画像は、開閉量を取得した前記遮光設備を模したアイコンを含む、
請求項４に記載のプログラム。
【請求項６】
前記遮光設備を示す画像は、開閉量を取得した前記遮光設備が設置された窓を模したアイコンを含む、
請求項４に記載のプログラム。
【請求項７】
前記遮光設備の開閉量を示す画像は、前記開閉量に基づき色の明暗が変化する画像を含む、
請求項２から６のいずれか１項に記載のプログラム。
【請求項８】
前記遮光設備の開閉量を示す画像は、前記開閉量を示す数値が付加された画像を含む、
請求項２から７のいずれか１項に記載のプログラム。
【請求項９】
前記遮光設備の開閉量を示す画像は、開閉量を取得した前記遮光設備を示す画像の一部の面積を前記開閉量に基づき変化させた画像を含む、
請求項４から８のいずれか１項に記載のプログラム。
【請求項１０】
前記遮光設備を示す画像の一部の面積を変化させる方向は、開閉量を取得した前記遮光設備の開閉方向と同じ方向である、
請求項９に記載のプログラム。
【請求項１１】
さらに、電動遮光設備の開閉を制御する機器制御ステップと、
前記機器制御ステップで制御する制御内容を取得する制御内容取得ステップと、
前記制御内容取得ステップで制御内容を取得するための操作画面を生成する操作画面生成ステップと、を実行させ、
前記操作画面生成ステップは、前記遮光設備を示す画像の上に、操作シンボルを配置し、
前記制御内容取得ステップは、前記操作シンボルのドラッグ又はスライド後の前記操作シンボルの位置を取得し、
前記機器制御ステップは、前記制御内容取得ステップで取得した前記操作シンボルの位置に対応する開閉量での開閉制御を行う、
請求項９又は１０に記載のプログラム。
【請求項１２】
さらに、太陽光発電システムの発電量に関する情報を取得する発電情報取得ステップと、
前記発電情報取得ステップで取得した発電量に関する情報に基づき、外部環境を推定する外部環境推定ステップと、
前記外部環境推定ステップで推定した外部環境と、前記機器状態取得ステップで取得した機器の状態と、に基づき画面構築処理を行う条件を判定する判定ステップと、を実行させ、
前記画面構築ステップは、前記判定ステップで前記画面構築処理を行う条件を満たすと判定した場合に、前記画面構築処理を実行する、
請求項１から１１のいずれか１項に記載のプログラム。
【請求項１３】
電動遮光設備の開閉を制御する機器制御ステップを実行させ、
前記判定ステップは、前記外部環境推定ステップで推定した外部環境と、前記機器状態取得ステップで取得した機器の状態と、に基づき前記機器制御ステップで前記電動遮光設備の開閉を制御する条件を判定し、
前記機器制御ステップは、前記判定ステップで前記電動遮光設備の開閉を制御する条件を満たすと判定した場合に、前記電動遮光設備の開閉を制御する、
請求項１２に記載のプログラム。
【請求項１４】
コンピュータに、
建屋に設置された機器の位置を取得する位置取得ステップ、
前記建屋及び前記機器の画像を取得する画像取得ステップ、
前記機器の状態を取得する機器状態取得ステップ、
前記位置取得ステップで取得した位置に、前記画像取得ステップで取得した画像と前記機器状態取得ステップで取得した機器の状態とを表示する画面を描画するための描画情報を生成する描画情報生成ステップ、
を実行させるためのプログラム。
【請求項１５】
建屋に設置された遮光設備の開閉状態を検知するセンサと、
前記建屋に設置された前記遮光設備の位置を取得する位置取得部と、
前記建屋及び前記遮光設備の画像を取得する画像取得部と、
前記センサから前記遮光設備の開閉状態を取得する機器状態取得部と、
前記位置取得部が取得した位置に、前記画像取得部が取得した画像と前記機器状態取得部が取得した前記遮光設備の開閉状態とを表示する画面を構築する画面構築部と、
を備える、
情報端末システム。
【請求項１６】
建屋に設置された電動で開閉可能な電動遮光設備と、
前記建屋に設置された前記電動遮光設備の位置を取得する位置取得部と、
前記建屋及び前記電動遮光設備を示す画像を取得する画像取得部と、
前記電動遮光設備の開閉量を取得する機器状態取得部と、
前記位置取得部が取得した位置に、前記画像取得部が取得した画像と前記機器状態取得部が取得した前記電動遮光設備の開閉量を示す画像とを表示する画面を構築する画面構築部と、
前記電動遮光設備を示す画像の上に操作シンボルを配置した操作画面を生成する操作画面生成部と、
前記操作画面に配置された前記操作シンボルのドラッグ又はスライド後の前記操作シンボルの位置を取得する制御内容取得部と、
前記制御内容取得部が取得した前記操作シンボルの位置に対応する開閉量で前記電動遮光設備の開閉制御を行う機器制御部と、
を備える、
情報端末システム。
【請求項１７】
太陽光発電システムと、
建屋に設置された遮光設備の開閉状態を検知するセンサと、
前記建屋に設置された前記遮光設備の位置を取得する位置取得部と、
前記建屋及び前記遮光設備の画像を取得する画像取得部と、
前記センサから前記遮光設備の開閉状態を取得する機器状態取得部と、
前記位置取得部が取得した位置に、前記画像取得部が取得した画像と前記機器状態取得部が取得した前記遮光設備の開閉状態とを表示する画面を構築する画面構築部と、
前記太陽光発電システムの発電量に関する情報を取得する発電情報取得部と、
前記発電情報取得部が取得した発電量に関する情報に基づき、外部環境を推定する外部環境推定部と、
前記外部環境推定部が推定した前記外部環境と、前記機器状態取得部が取得した前記遮光設備の開閉状態と、に基づき画面構築処理を行う条件を判定する判定部と、
を備え、
前記画面構築部は、前記判定部が前記画面構築処理を行う条件を満たすと判定した場合に、前記画面構築処理を実行する、
情報端末システム。
【請求項１８】
建屋に設置された機器の位置を取得する位置取得ステップと、
前記機器の状態を取得する機器状態取得ステップと、
前記位置取得ステップで取得した位置に前記機器状態取得ステップで取得した機器の状態を表示する画面を構築する画面構築ステップと、
を備える画面構築方法。
【請求項１９】
建屋に設置された機器の位置を取得する位置取得部と、
前記建屋及び前記機器の画像を取得する画像取得部と、
前記機器の状態を取得する機器状態取得部と、
前記位置取得部が取得した位置に、前記画像取得部が取得した画像と前記機器状態取得部が取得した機器の状態とを表示する画面を構築する画面構築部と、
前記画面構築部が構築した画面を出力する出力部と、
を備える情報端末装置。